(57)【要約】      （修正有）【課題】投入口を開閉するシャッターの開閉作業を容易にするとともに、シャッターの紛失を防止でき、扉の外側からシャッターを開けることができず、シャッターの脱落による作業者のケガやシャッターの破損を防止するゴミ箱を提供する。【解決手段】開口を有し内部に廃棄物を回収可能な箱状の筐体と、筐体に開口を開閉可能に取付けられた扉と、扉に設けられ廃棄物を投入可能な投入口６ａと、扉の裏面に周方向に回転可能に連結されるとともに回転することにより投入口６ａを開閉するシャッター４と、投入口６ａを開く開放位置又は閉じる閉鎖位置でシャッター４を固定する固定手段５とを備えることを特徴とする。【選択図】図５
0003218917.tif 000002
【実用新案登録請求の範囲】
【請求項１】
開口を有し内部に廃棄物を回収可能な箱状の筐体と、
前記筐体に前記開口を開閉可能に取付けられた扉と、
前記扉に設けられ前記廃棄物を投入可能な投入口と、
前記扉の裏面に周方向に回転可能に連結されるとともに回転することにより前記投入口を開閉するシャッターと、
前記投入口を開く開放位置又は閉じる閉鎖位置で前記シャッターを固定する固定手段とを備える
ことを特徴とするゴミ箱。
【請求項２】
前記扉は、前記筐体内に連通する開口部を有する扉本体と、前記扉本体の裏面に固定され前記開口部を塞ぐとともに前記開口部よりも開口面積が小さい前記投入口を有する固定プレートとを有し、
前記固定プレートに前記シャッターと前記固定手段が設けられている
ことを特徴とする請求項１に記載のゴミ箱。
【請求項３】
前記固定手段は、
前記シャッターに、前記シャッターの回転中心からそれぞれ等しい距離に形成された一対の溝と、
前記扉の裏面から垂直に突出し、前記シャッターが前記開放位置にある際に前記溝のいずれか一方に挿入され、前記シャッターが前記閉鎖位置にある際に前記溝のいずれか他方に挿入される螺子軸と、
前記螺子軸に螺合されるナットとを備える
ことを特徴とする請求項１又は２に記載のゴミ箱。
【請求項４】
前記扉の裏面に設けられ前記閉鎖位置にある前記シャッターが前記扉から離間する方向に撓むのを規制する押え部を有し、
前記抑え部は、前記投入口に対向しない位置に設けられている
ことを特徴とする請求項１から３のいずれか一項に記載のゴミ箱。
【請求項５】
前記押え部は、一対であって、前記投入口の左右にそれぞれ配置されている
ことを特徴とする請求項４に記載のゴミ箱。
【請求項６】
前記扉の裏面であって前記投入口の下方に設けられ、斜め下方に向けて傾斜して、前記投入口を介して投入された廃棄物を前記筐体内に収容されるゴミ袋あるいは回収容器へ導く傾斜板を有する
ことを特徴とする請求項１から５のいずれか一項に記載のゴミ箱。
【考案の詳細な説明】
【技術分野】
【０００１】
本考案は鉄道の駅構内や公園等の広場や施設内に設置され、空になった飲料水のペットボトル、ビン、缶等の回収、或いはその他の紙屑等の廃棄物を回収するのに適するゴミ箱に関するものである。
【背景技術】
【０００２】
一般的に、公共の施設内、鉄道の駅構内やプラットホーム等には飲料水又はアイスクリーム等の食べ物を販売する自動販売機が設置され、さらに空になったペットボトル、ビン、缶などの容器や食べ物の包装紙などを回収するゴミ箱が自動販売機に併設される。
【０００３】
このゴミ箱としては、例えば特許文献１に示すように、開口を有し内部に回収容器を収容した箱状の筐体と、筐体に取付けられて開口を開閉する扉と、扉に設けられた複数の仕分け用の丸孔でなる投入口とを備えたものがある。そして、ゴミ箱は投入口から投入されるペットボトル等の廃棄物を筐体内の回収容器で回収する。
【０００４】
また、近年の外国人観光客や要人来日の増加に伴い、テロ対策として、ゴミ箱の投入口を塞ぐ機会が増加しているが、このゴミ箱には、扉の裏側に板状の蓋を挿入可能であって挿入された蓋を支持可能な支持部を備えたガイド部が設けられており、蓋をガイド部に挿入することで、ゴミ箱の投入口を閉鎖できるようになっている。そのため、このゴミ箱では、テロ対策が必要な場合には、蓋をガイド部に挿入することで投入口を閉鎖してゴミ箱に不審物が投入されるのを防止できる。
【先行技術文献】
【特許文献】
【０００５】
【特許文献１】実用新案登録第３１９１３４２号公報（図２  要約参照）
【考案の概要】
【考案が解決しようとする課題】
【０００６】
しかしながら、上記従来のゴミ箱は機能上欠陥があるわけではないが、次のような不具合の改善が望まれている。
【０００７】
従来のゴミ箱は投入口を開閉する蓋をガイド部にスライド自在に挿入するものであるから、投入口を開閉する際にその都度蓋の挿入又は抜き取り作業をしなければならず、その開閉作業が非常に手間であった。
【０００８】
また、従来のゴミ箱では、蓋を完全に取り外すことができるため、継続的に使用した際に、取り外した蓋を紛失してしまう恐れがあった。
【０００９】
さらに、従来のゴミ箱では、蓋はガイド部に挿入されているだけなので、投入口を閉鎖しているときであっても、投入口を介して扉の外側から蓋を抜き取り方向にスライドさせれば、ガイド部から蓋が脱落して投入口を開放できてしまう。そのため、投入口を蓋で閉鎖しても蓋が外されて不審物が投入される可能性がある。
【００１０】
また、従来のゴミ箱では、蓋を完全に取り外すことができるため、投入口の開閉作業時に蓋を落として作業者にケガをさせてしまったり、蓋を破損させてしまう恐れがあった。
【００１１】
そこで、本考案の目的は、投入口を開閉する蓋の開閉作業を簡単にするとともに、蓋の紛失を防止でき、扉の外側から投入口を開放できず、蓋の脱落による作業者のケガや蓋の破損を防止するゴミ箱を提供することである。
【課題を解決するための手段】
【００１２】
上記の目的を達成させるため、本考案のゴミ箱は、開口を有し内部に廃棄物を回収可能な箱状の筐体と、前記筐体に前記開口を開閉可能に取付けられた扉と、前記扉に設けられ前記廃棄物を投入可能な投入口と、前記扉の裏面に周方向に回転可能に連結されるとともに回転することにより前記投入口を開閉するシャッターと、前記投入口を開く開放位置又は閉じる閉鎖位置で前記シャッターを固定する固定手段とを備えることを特徴とする。
【考案の効果】
【００１３】
本考案によれば、シャッターを回転させて固定手段で固定するだけで投入口を開閉できるため、投入口の開閉作業が非常に容易になる。また、シャッターが扉と一体に連結されているため、シャッターの紛失を防止できる。さらに、シャッターが回転により投入口を開閉するものであって、固定手段により開放位置又は閉鎖位置で固定されるものであるから、扉の外側からシャッターが開けられてしまうことを防止できる。また、シャッターが扉に取付けられて分離しないので、シャッターの脱落による作業者のケガやシャッターの破損を防止できる。
【図面の簡単な説明】
【００１４】
【図１】扉を開いた状態としつつ、投入口を開いた状態とした本実施の形態におけるゴミ箱の斜視図である。
【図２】扉を開いた状態としつつ、投入口を閉塞した状態とした本実施の形態におけるゴミ箱の斜視図である。
【図３】扉を閉じた状態としつつ、投入口を開いた状態とした本実施の形態におけるゴミ箱の斜視図である。
【図４】扉を閉じた状態としつつ、投入口を閉塞した状態とした本実施の形態におけるゴミ箱の斜視図である。
【図５】（Ａ）はシャッターが開放位置にある状態のゴミ箱のシャッター部分の拡大斜視図である。（Ｂ）はシャッターが閉鎖位置にある状態のゴミ箱のシャッター部分の拡大斜視図である。
【図６】ゴミ箱のシャッター部分の側面図である。
【考案を実施するための形態】
【００１５】
以下に、図面を参照しながら本実施の形態について説明する。いくつかの図面を通して付された同じ符号は同じ部品を示す。
【００１６】
本実施の形態に係るゴミ箱１は、図１，図２に示すように、開口Ｏを有し内部に廃棄物を回収可能な箱状の筐体２と、筐体２に開口Ｏを開閉可能に取付けられた扉３と、扉３に設けられ廃棄物を投入可能な投入口６ａと、扉３の裏面に周方向に回転可能に連結されるとともに回転することにより投入口６ａを開閉するシャッター４と、投入口６ａを開く開放位置又は閉じる閉鎖位置でシャッター４を固定する固定手段５とを有する。
【００１７】
これにより、シャッター４を回転させてシャッター４を固定手段５により開放位置又は閉鎖位置で固定することで、投入口６ａを開閉できるようになっている。
【００１８】
なお、扉３の表面とは、扉３を閉じた際に筐体外に面する面を指し、扉３の裏面とは、上記表面の反対側の面であって、扉３を閉じた際に筐体内側を向く面を指す。
【００１９】
以下、各部について詳細に説明する。筐体２は、図１，２に示すように、直方体状であって、地面に立てた際に地面に鉛直な一つの面が開放されて形成される開口Ｏを有し、筐体２の内周に沿うように設けられたゴミ袋２０を吊持可能な枠部７を有している。この枠部７に廃棄物を回収可能なゴミ袋２０を吊り下げることで、筐体２は内部に廃棄物を回収できる。ただし、ゴミ袋２０に代えて回収容器を筐体２内に設置するようにしてもよく、その場合には、枠部７は省略できる。
【００２０】
また、筐体２の内側には棚板８が水平に設けられており、棚板８が棚として機能するため、筐体２内には廃棄物だけでなく備品等も収容できるようになっている。
【００２１】
扉３は、図１，２に示すように、筐体２内に連通する円形の開口部９ａを有する扉本体９と、扉本体９の裏面に固定され開口部９ａを塞ぐとともに投入口６ａを有する固定プレート６を備える。扉本体９は、筐体２の天面と底面に取付けられたヒンジ金具１０を介して筐体２に取付けられている。よって、扉３は、外開きの開き戸となっていて、筐体２の開口Ｏを開閉できる。
【００２２】
また、投入口６ａは、扉３を閉じた際に枠部７よりも上方に配置される位置に設けられており、投入口６ａを介して投入された廃棄物が枠部７に吊下げられたゴミ袋２０に回収されるようになっている。
【００２３】
したがって、ゴミ箱１は、扉３を閉じている間は、廃棄物を回収でき、扉３を開いて筐体２内のゴミ袋２０を取り出してゴミ袋２０ごと廃棄物を取り出すことができるようになっている。
【００２４】
さらに、扉３における投入口６ａの下方には、透明な窓１１が設けられている。これにより、ゴミ箱１は、筐体２の内部に設置されたゴミ袋２０や回収容器を透明なものにすれば、ゴミ袋２０や回収容器に回収された廃棄物の回収状況あるいは不審物が投入されていないかを扉３の外から視認できるようになっている。ただし、窓１１は省略されてもよい。
【００２５】
また、扉３には、扉３を閉じた状態でロックできる錠前１２が設けられている。錠前１２は、図１，図２に示すように、扉３の裏側に突出して設けられ扉３の外から回動操作可能な軸部１２ａと、軸部１２ａの先端に連結され軸部１２ａの径方向に突出する引掛けプレート１２ｂとを備える。そして、扉３を閉じた状態で扉３の外から軸部１２ａを回動させると、引掛けプレート１２ｂが筐体２の開口Ｏ側の縁２ａに引っ掛かり、扉３は筐体２に固定された状態となり開かなくなる。
【００２６】
戻って、固定プレート６は、図１，図２，図５に示すように、扉本体９に設けられた開口部９ａを塞ぐとともに開口部９ａよりも開口面積が小さく形成された投入口６ａを有する矩形のプレートであって、四隅がビス止めされて扉本体９の裏面に固定されている。さらに、固定プレート６の図中下端には、斜め下方に向けて傾斜する傾斜板１３が設けられており、傾斜板１３は、扉３を閉じた際に投入口６ａから投入された廃棄物をゴミ袋２０へ導くシュートとして機能する。ただし、シュートが不要であれば、傾斜板１３を省略してもよい。なお、固定プレート６の形状は特に限定されず、開口部９ａを塞いでいれば、他の形状であってもよい。
【００２７】
投入口６ａは、開口部９ａよりも開口面積の小さい円弧状であって、開口部９ａと対向する位置に形成されている。なお、投入口６ａの形状は、円弧状には限定されず、他の形状であってもよい。
【００２８】
また、本実施の形態に係る投入口６ａは、図５に示すように、固定プレート６の開口部９ａに対向する部位であって下方位置に配置されている。なお、投入口６ａの位置は、前記した位置には限定されず、固定プレート６の開口部９ａに対向する部位であって上方の位置に配置されてもよい。
【００２９】
また、固定プレート６は、開口部９ａの中心に対応する位置から固定プレート６に対して垂直に起立し、後述するシャッター４を回転自在に保持する軸６ｂを有している。
【００３０】
本実施の形態に係るシャッター４は、図５に示すように、半円状のシャッター本体部４ａと、シャッター本体部４ａの弦４ｇの中央部から突出するとともに軸６ｂが挿入される挿通孔４ｈを有する半円状の突部４ｂと、シャッター本体部４ａの弦４ｇの両端部からそれぞれ垂直に突出する突出部４ｃ，４ｄとを備える。シャッター４は、扉３の裏面に軸６ｂを回転中心として回転可能に取付けられている。よって、シャッター４は、扉３の裏面に沿って周方向に回転でき、固定プレート６に設けられた投入口６ａを開閉できる。
【００３１】
また、各突出部４ｃ，４ｄには、突出部４ｃ，４ｄの突出方向に沿って切り欠かれて、シャッター４の回転中心からそれぞれ等しい距離に形成された溝４ｅ，４ｆがそれぞれ設けられている。
【００３２】
また、図示しないが、シャッター４の外側面にゴミ箱１の使用が禁止されていることが一目で分かる禁止マークを設けてもよい。すると、シャッター４によって投入口６ａが閉鎖されているときに外から当該禁止マークを視認できるので、ゴミ箱１の使用が禁止されていることが、利用者に一目で分かるようになっている。
【００３３】
また、この禁止マークは、シャッター４に貼付されるシールであってもよいが、シャッター４に直接印字されていてもよい。シャッター４に直接印字した場合、シャッター４にシールを貼付する作業が不要となり、ゴミ箱１の組立作業性が向上する。
【００３４】
つづいて、投入口６ａの開放位置又は閉鎖位置でシャッター４を固定する固定手段５について詳細に説明する。本実施の形態に係る固定手段５は、上述したシャッター４に形成された一対の溝４ｅ，４ｆと、扉３の裏面から垂直に突出し溝４ｅ，４ｆに挿入可能な螺子軸５ａと、螺子軸５ａに螺合されるナット５ｂとを備えてなる。
【００３５】
具体的には、本例の螺子軸５ａは、固定プレート６におけるシャッター４の回転中心である軸６ｂを横切る仮想線上の図５中左方から固定プレート６に対して垂直に突出して設けられている。これにより、図５（Ａ）に示すように、螺子軸５ａが、一方側の突出部４ｃに形成された溝４ｅに挿入されたときには、シャッター４は投入口６ａに対向せず投入口６ａを開く開放位置に配置され、図５（Ｂ）に示すように、螺子軸５ａが、他方側の突出部４ｄに形成された溝４ｆに挿入されたときには、シャッター４が投入口６ａに対向して投入口６ａを閉じる閉鎖位置に配置される。このように、投入口６ａを開く場合に選択される溝４ｅは、開放側の溝４ｅとなり、閉じる場合に選択される溝４ｆは、閉鎖側の溝４ｆとなる。
【００３６】
なお、螺子軸５ａやシャッター４に設けられる溝４ｅ，４ｆの位置は、本例の位置には限定されず、シャッター４が開放位置にある際には開放側の溝４ｅに挿入され、シャッター４が閉鎖位置にある際には閉鎖側の溝４ｆに挿入されるようになっていればよい。
【００３７】
また、ナット５ｂの外周には、図６に示すように、グリップ部５ｃが設けられており、ナット５ｂを回しやすくなっている。
【００３８】
そして、螺子軸５ａにシャッター４の溝４ｅ又は溝４ｆを挿入した状態で、ナット５ｂを締め付けると、シャッター４が固定プレート６とナット５ｂによって挟持されるため、シャッター４が開放位置又は閉鎖位置で固定される。
【００３９】
なお、本例のナット５ｂは、図示するところでは、袋ナットが利用されているが、ナットの種類は特に限定されず、例えば、六角ナットや蝶ナットが利用されてもよい。
【００４０】
また、固定プレート６には、扉３の裏面に設けられ閉鎖位置にあるシャッター４が扉３から離間する方向に撓むのを規制する一対の押え部１４，１４が設けられている。これにより、シャッター４によって投入口６ａが閉鎖されている状態で扉３の外からシャッター４が押されても、押え部１４，１４がシャッター４を裏側から支持するため、投入口６ａが無理やり開けられてしまうのを防止できる。
【００４１】
また、本例では、押え部１４，１４は、図５に示すように、投入口６ａに対向しない位置に設けられているため、投入口６ａを介して廃棄物が投入される際に、廃棄物が押え部１４，１４に当たってしまうことがなく、押え部１４は廃棄物の投入を邪魔しないようになっている。
【００４２】
つづいて、本実施の形態に係るゴミ箱１の投入口６ａの開閉作業について説明する。投入口６ａを開いた状態から閉じた状態にする場合、まず図５（Ａ）に示すように、開放位置にあるシャッター４の一方側の突出部４ｃに形成された開放側の溝４ｅに挿入されている螺子軸５ａに螺合されてシャッター４を固定しているナット５ｂを緩める。次に、シャッター４を図５（Ａ）中矢印の方向である右回りに回転させ、図５（Ｂ）に示すように、シャッター４を閉鎖位置に配置するとともに、シャッター４の他方側の突出部４ｄに形成された閉鎖側の溝４ｆに螺子軸５ａを挿入した状態とし、ナット５ｂでシャッター４を締め付けてシャッター４を閉鎖位置で固定する。これにより、図２，図４に示すように、ゴミ箱１の投入口６ａが閉じられた状態になる。
【００４３】
対して、投入口６ａを閉じた状態から開いた状態にする場合には、上記した作業と反対の作業をすればよい。このようにすれば、図１，図３に示すように、ゴミ箱１の投入口６ａが開かれた状態になる。
【００４４】
なお、固定手段５は、シャッター４を開放位置又は閉鎖位置で固定できる構成であればよく、固定手段５は、上述した構成には限定されない。
【００４５】
以上のように、本実施の形態に係るゴミ箱１は、扉３の裏面に周方向に回転可能に連結されるとともに回転することにより投入口６ａを開閉するシャッター４と、投入口６ａを開く開放位置又は閉じる閉鎖位置でシャッター４を固定する固定手段５とを備える。
【００４６】
そのため、シャッター４を開放位置又は閉鎖位置まで回転させて固定手段５で固定するだけで投入口６ａを開閉できるため、投入口６ａの開閉作業が非常に容易である。これにより、本発明によれば、従来のゴミ箱のように扉の裏側に設けられたガイド部に板状の蓋を挿入する方法や、ゴミ箱の投入口に張り紙をする方法に比べて、テロなどの有事の際に即座に確実に投入口６ａを閉じることができるため、テロ被害の拡大を抑制できる。
また、シャッター４が扉３に取付けられて分離しないので、シャッター４の紛失を防止できる。その上、シャッター４が作業者の足の上に落ちるなどして作業者にケガをさせてしまうことや、脱落によるシャッター４の破損も防止できる。
【００４７】
さらに、シャッター４が回転により投入口６ａを開閉するものであって、固定手段５により開放位置又は閉鎖位置で固定されるので、扉３の外からシャッター４を開けることができない。よって、扉３の外からシャッター４が開けられてしまうことを防止できる。加えて、シャッター４が扉３の外から押し開かれないように、シャッター４をビス止めしておく必要もないため、ビスなどの止め具の紛失も起こり得ず、継続的に投入口６ａの開閉機能を利用できる。
【００４８】
また、本実施の形態においては、扉３は、筐体２内に連通する開口部９ａを有する扉本体９と、扉本体９の裏面に固定され開口部９ａを塞ぐとともに開口部９ａよりも開口面積が小さい投入口６ａを有する固定プレート６とを有し、固定プレート６にシャッター４と固定手段５が設けられている。この構成によると、固定プレート６にシャッター４と固定手段５が設けられているので、固定プレート６を扉本体９に取付けるだけで、シャッター４と固定手段５を扉３に設置できる。よって、シャッター４と固定手段５の扉３への設置が非常に容易となる。
【００４９】
さらに、任意の大きさの投入口６ａを有する固定プレート６を選択すれば、投入口６ａの大きさをゴミ箱１の用途に合わせて任意に調整できるため、使用目的外の廃棄物がゴミ箱１に投入されるのを抑制できる。
【００５０】
具体例としては、ゴミ箱１の用途がスティックアイス用であった場合、ゴミ箱１の使用目的の廃棄物は、包装紙やスティックアイスの棒であるため、投入口６ａの大きさを包装紙やスティックアイスの棒は入るが、空き缶やペットボトル等は入らない大きさに設定すれば、ゴミ箱１に包装紙やスティックアイスの棒以外の廃棄物の投入されるのを抑制できる。
【００５１】
なお、本例では、固定プレート６に投入口６ａが設けられているが、固定プレート６を省略して、投入口６ａとともにシャッター４と固定手段５を直接に扉本体９に取付けてもよい。
【００５２】
また、本実施の形態においては、固定手段５が、シャッター４に、シャッター４の回転中心からそれぞれ等しい距離に形成された一対の溝４ｅ，４ｆと、扉３の裏面から垂直に突出し、シャッター４が開放位置にある際に一方の溝４ｅに挿入され、シャッター４が閉鎖位置にある際に他方の溝４ｆに挿入される螺子軸５ａと、螺子軸５ａに螺合されるナット５ｂとを備えて構成されている。
【００５３】
この構成によると、ナット５ｂを回転させるだけでシャッター４の固定とその解除を行えるため、シャッター４の固定作業が非常に容易であり、作業者が直感的に操作を理解できる。また、この構成では、固定手段５の螺子軸５ａは扉３に固定されており、ナット５ｂは螺子軸５ａに常に螺合されて保持されているため、螺子軸５ａやナット５ｂの紛失も防止できる。
【００５４】
なお、本例ではシャッター本体部４ａの形状は、半円状であるが、投入口６ａを開閉できればシャッター本体部４ａの形状は特に限定されず、例えば、四角状や半円以外の扇状であってもよく、開放側の溝４ｅの位置と閉鎖側の溝４ｆの位置がシャッター４の回転中心から等しい距離に設けられていればよい。シャッター４の回転中心から各溝４ｅ，４ｆまでの距離が等しいと、シャッター４の形状に依らずシャッター４の回転により螺子軸５ａを二つの溝４ｅ，４ｆに挿入できる。
【００５５】
また、突出部４ｃ，４ｄを省略してシャッター本体部４ａに直接溝４ｅ，４ｆを設けるようにしてもよい。
【００５６】
なお、本例では、螺子軸５ａは固定プレート６に設けられているが、固定プレート６を省略して扉本体９に直接投入口６ａを設ける場合には、扉本体９に直接設ければよい。
【００５７】
また、本実施の形態においては、扉３の裏面に設けられ閉鎖位置にあるシャッター４が扉３から離間する方向に撓むのを規制する押え部１４，１４を有し、押え部１４，１４は投入口６ａに対向しない位置に設けられている。
【００５８】
この構成によると、投入口６ａが閉じられている際に、扉３の外からシャッター４が押されても、押え部１４，１４がシャッター４を裏側から支持して撓むのを防止するため、投入口６ａが無理やり開けられてしまうのを防止できる。さらに、押え部１４，１４が投入口６ａに対向しないため、投入口６ａを介して廃棄物が投入される際に、廃棄物が押え部１４，１４に当たってしまうことがなく、押え部１４，１４が廃棄物の投入を邪魔しないようになっている。
【００５９】
また、本実施の形態では、押え部１４，１４は、一対であって、投入口６ａの左右にそれぞれ設けられているので、シャッター４が扉３の外から押されてもガタつかずに投入口６ａをより強固に閉鎖できる。
【００６０】
なお、本例では、押え部１４，１４は、固定プレート６に設けられているが、固定プレート６を省略して扉本体９に直接投入口６ａを設ける場合には、扉本体９に直接設ければよい。
【００６１】
また、本実施の形態においては、扉３の裏面であって投入口６ａの下方に設けられ、斜め下方に向けて傾斜して、投入口６ａを介して投入された廃棄物を筐体２内に収容されるゴミ袋２０あるいは回収容器へ導く傾斜板１３を有する。この構成によると、投入口６ａから投入された廃棄物が傾斜板１３によって確実にゴミ袋２０或いは回収容器に投入される。
【００６２】
なお、本例では、傾斜板１３は固定プレート６の下端に設けられているが、固定プレート６を省略して扉本体９に直接投入口６ａを設ける場合には、扉本体９に直接設ければよい。
【００６３】
以上、本考案の好ましい実施の形態を詳細に説明したが、実用新案登録請求の範囲から逸脱なく改造、変形及び変更ができるのは当然である。
【符号の説明】
【００６４】
１・・・ゴミ箱、２・・・筐体、３・・・扉、４・・・シャッター、４ｅ，４ｆ・・・溝、５・・・固定手段、５ａ・・・螺子軸、５ｂ・・・ナット、６・・・固定プレート、６ａ・・・投入口、９・・・扉本体、９ａ・・・開口部、１３・・・傾斜板、１４・・・押え部、２０・・・ゴミ袋、Ｏ・・・開口
【図１】
0003218917.tif 000003
【図２】
0003218917.tif 000004
【図３】
0003218917.tif 000005
【図４】
0003218917.tif 000006
【図５】
0003218917.tif 000007
【図６】
0003218917.tif 000008